(57)【要約】【課題】  鍵盤楽器の鍵毎のパラメータを調整する等の場合、対象となる鍵を端末装置上で選択するか、鍵盤楽器の鍵を押鍵することによって選択するかを切り替えるものは存在しなかった。【解決手段】  表示画面上での第一の入力操作により、電子楽器の操作子群を模した表示画面の操作子群画像から操作子を選択する手段と、表示画面上での第二の入力操作により、操作子の選択先を、操作子群画像から電子楽器の操作子に切り替える手段と、電子楽器から出力される操作信号を受信する手段と、操作信号の受信により、電子楽器の操作した操作子に対応する操作子群画像の操作子が選択されたことを表示する手段と、を備えた電子楽器制御端末を提供する。したがって、調整対象となる操作子の選択を端末で行うか、電子楽器行うかを切り替えることができ、電子楽器の操作子を押すことによって選択することができる。【選択図】図１
2018159770.tif 000002
【特許請求の範囲】
【請求項１】
タッチパネル式の入力デバイスを有する表示画面と、
電子楽器を認証し、認証された電子楽器との接続を確立する手段と、
前記表示画面上での第一の入力操作により、前記認証された電子楽器の操作子群を模した前記表示画面の操作子群画像から操作子を選択する手段と、
前記表示画面上での第二の入力操作により、前記操作子の選択先を、前記操作子群画像から前記認証された電子楽器の操作子に切り替える手段と、
前記認証された電子楽器から出力される操作信号を受信する手段と、
前記操作信号の受信により、前記認証された電子楽器の操作した操作子に対応する前記操作子群画像の操作子が選択されたことを表示する手段と、を備えた電子楽器制御端末。
【請求項２】
請求項１に記載の電子楽器制御端末であって、
前記第二の入力操作は、前記操作子群画像の表示領域を長押しすることによって行われる電子楽器制御端末。
【請求項３】
複数の操作子を有する電子楽器と、
タッチパネル式の入力デバイスを有する表示画面を備えた電子楽器制御端末であって、
電子楽器を認証し、認証された電子楽器との接続を確立する手段と、
前記表示画面上での第一の入力操作により、前記認証された電子楽器の操作子群を模した前記表示画面の操作子群画像から操作子を選択する手段と、
前記表示画面上での第二の入力操作により、前記操作子の選択先を、前記操作子群画像から前記認証された電子楽器の操作子に切り替える手段と、
前記認証された電子楽器から出力される操作信号を受信する手段と、
前記操作信号の受信により、認証された電子楽器の操作した操作子に対応する前記操作子群画像の操作子が選択されたことを表示する手段とを備えた前記電子楽器制御端末と、を備えた電子楽器制御システム。
【請求項４】
電子楽器を認証し、認証された電子楽器と電子楽器制御端末との接続を確立するステップと、
前記表示画面上での第一の入力操作により、前記認証された電子楽器の操作子群を模した前記表示画面の操作子群画像から操作子を選択するステップと、
前記表示画面上での第二の入力操作により、前記操作子の選択先を、前記操作子群画像から前記認証された電子楽器の操作子に切り替えるステップと、
前記認証された電子楽器から出力される操作信号を受信するステップと、
前記操作信号の受信により、認証された電子楽器の操作した操作子に対応する前記操作子群画像の操作子が選択されたことを表示するステップと、を前記電子楽器制御端末に実行させる電子楽器制御プログラム。
【請求項５】
電子楽器を認証し、認証された電子楽器と電子楽器制御端末との接続を確立するステップと、
前記表示画面上での第一の入力操作により、前記認証された電子楽器の操作子群を模した前記表示画面の操作子群画像から操作子を選択するステップと、
前記表示画面上での第二の入力操作により、前記操作子の選択先を、前記操作子群画像から前記認証された電子楽器の操作子に切り替えるステップと、
前記認証された電子楽器から出力される操作信号を受信するステップと、
前記操作信号の受信により、認証された電子楽器の操作した操作子に対応する前記操作子群画像の操作子が選択されたことを表示するステップと、を備える電子楽器制御方法。
【発明の詳細な説明】
【技術分野】
【０００１】
本発明は、電子楽器制御端末、電子楽器制御システム、電子楽器制御プログラムおよび電子楽器制御方法であり、より具体的には、電子楽器のパラメータの調整対象の鍵の選択を、端末上で行うか、又は、電子楽器上で行うのかを切り替えることができることを特徴とする電子楽器制御端末、電子楽器制御システム、電子楽器制御プログラムおよび電子楽器制御方法に関する。
【背景技術】
【０００２】
従来から、携帯情報端末の入力に関し、表示デバイスでのタッチ入力と、表示デバイスでのタッチ入力とは異なるボタン入力とを切り替えることができる携帯情報端末は存在する。
この技術に関しては、例えば、特許第４４２２０９２号「携帯情報端末および表示制御方法」がある。その内容は、携帯情報端末の画面制御手段が入力画面の指定された入力項目にタッチ入力モードが設定されているか否かを判断し、その結果、タッチ入力モードが設定されている場合は、入力画面に替えてテンキー画面、又は、文字キー画面を表示する。タッチ入力モードが設定されていない場合は、ボタン入力モードに切り替える。そして、ボタン入力モードに切り替えられた後は、操作ボタンによる入力操作を行うというものである。
【先行技術文献】
【特許文献】
【０００３】
【特許文献１】特許第４４２２０９２号公報
【発明の概要】
【発明が解決しようとする課題】
【０００４】
文献１は、入力画面のようなタッチ画面において入力項目が選択されたとき、その項目に対応したテンキー画面あるいは文字キー画面へ自動的に切り替えられる。したがって、画面の切り替えのために、別途ボタン操作することは不要となる。これにより、操作に不慣れなユーザであっても、円滑に操作することができ、また、操作時間の短縮を図ることができる。
しかしながら、文献１は電子楽器を制御することを目的とする端末ではないところ、鍵盤楽器を制御することを目的とする携帯情報端末においては、鍵盤楽器の各鍵毎のパラメータを調整する等の場合、対象となる鍵を端末装置上で選択するか、鍵盤楽器の鍵を押鍵することによって選択するかを切り替える有用な端末が求められていた。
【０００５】
そこで、本発明は、電子楽器のパラメータの調整対象となる操作子を、電子楽器制御端末上で選択するのか、又は、電子楽器上で選択するのかを切り替えることができる電子楽器制御端末、電子楽器制御システム、電子楽器制御プログラムおよび電子楽器制御方法を提供することを目的とする。
【課題を解決するための手段】
【０００６】
前記目的を達成するため本願の請求項１に係る端末は、タッチパネル式の入力デバイスを有する表示画面と、電子楽器を認証し、認証された電子楽器との接続を確立する手段と、表示画面上での第一の入力操作により、認証された電子楽器の操作子群を模した表示画面の操作子群画像から操作子を選択する手段と、表示画面上での第二の入力操作により、操作子の選択先を、操作子群画像から認証された電子楽器の操作子に切り替える手段と、認証された電子楽器から出力される操作信号を受信する手段と、操作信号の受信により、認証された電子楽器の操作した操作子に対応する操作子群画像の操作子が選択されたことを表示する手段と、を備えた電子楽器制御端末である。
【０００７】
請求項２に係る端末は、請求項１に記載の電子楽器制御端末であって、第二の入力操作は、操作子群画像の表示領域を長押しすることによって行われる電子楽器制御端末である。
【０００８】
請求項３に係るシステムは、複数の操作子を有する電子楽器と、タッチパネル式の入力デバイスを有する表示画面を備えた電子楽器制御端末であって、電子楽器を認証し、認証された電子楽器との接続を確立する手段と、表示画面上での第一の入力操作により、認証された電子楽器の操作子群を模した表示画面の操作子群画像から操作子を選択する手段と、表示画面上での第二の入力操作により、操作子の選択先を、操作子群画像から認証された電子楽器の操作子に切り替える手段と、認証された電子楽器から出力される操作信号を受信する手段と、操作信号の受信により、認証された電子楽器の操作した操作子に対応する操作子群画像の操作子が選択されたことを表示する手段とを備えた電子楽器制御端末と、を備えたシステムである。
【０００９】
請求項４に係るプログラムは、電子楽器を認証し、認証された電子楽器と電子楽器制御端末との接続を確立するステップと、表示画面上での第一の入力操作により、記認証された電子楽器の操作子群を模した表示画面の操作子群画像から操作子を選択するステップと、表示画面上での第二の入力操作により、操作子の選択先を、操作子群画像から認証された電子楽器の操作子に切り替えるステップと、認証された電子楽器から出力される操作信号を受信するステップと、操作信号の受信により、認証された電子楽器の操作した操作子に対応する操作子群画像の操作子が選択されたことを表示するステップと、を備える電子楽器制御プログラムである。
【００１０】
請求項５に係る方法は、電子楽器を認証し、認証された電子楽器と電子楽器制御端末との接続を確立するステップと、表示画面上での第一の入力操作により、記認証された電子楽器の操作子群を模した表示画面の操作子群画像から操作子を選択するステップと、表示画面上での第二の入力操作により、操作子の選択先を、操作子群画像から認証された電子楽器の操作子に切り替えるステップと、認証された電子楽器から出力される操作信号を受信するステップと、操作信号の受信により、操作した操作子に対応する操作子群画像の操作子が選択されたことを表示するステップと、を備える電子楽器制御方法である。
【発明の効果】
【００１１】
端末において、認証された電子楽器の操作子毎のパラメータを調整する際、調整対象となる操作子の選択を端末で行うか、又は、認証された電子楽器で行うかを切り替えることができ、パラメータの調整を行う操作子の選択を認証された電子楽器から行う場合、操作子の操作によって選択することができる。
【図面の簡単な説明】
【００１２】
【図１】本発明の実施形態に係る電子楽器制御端末の主な電気的構成をブロック図で示す説明図である。
【図２】本発明の実施形態に係る電子楽器の主な電気的構成をブロック図で示す説明図である。
【図３】本発明の実施形態に係る電子楽器制御端末の操作画面を示す説明図である。
【図４】本発明の実施形態に係るシステム構成を示すフロー図である。
【発明を実施するための形態】
【００１３】
以下、具体化した本実施形態に基づき、電子楽器制御端末、電子楽器制御システム、電子楽器制御プログラムの一例について説明する。以下、電子楽器は、「鍵盤楽器」を一例とし、「操作子群」を「鍵盤」とし、「操作子」を「鍵」とし、「操作子群画像」を「鍵盤画像」として説明する。
【００１４】
図１に、本実施形態である電子楽器制御端末１０の主な電気的構成を示している。電子楽器制御端末１０は、接続を確立する手段（図面では「接続確立手段」とする。）１１と、表示画面１２と、表示する手段（図面では「表示手段」とする。）１３と、鍵盤画像４０（図３を参照）を表示画面１２上に表示する手段（便宜上「鍵盤画像を表示する手段（図面では「鍵盤画像表示手段」）」とする。）１４と、タッチパネル１５と、受信する手段（入出力部）１７と、外部機器入出力部１８と、ＣＰＵ１９と、フラッシュメモリ２０と、ＲＡＭ２１と、切り替える手段（図面では「切り替え手段」とする。）２７と、鍵（操作子）が選択されたことを表示する手段（便宜上、「鍵選択表示手段」、図面では「選択鍵表示手段」とする。）２８を備えており、これらがシステムバス２５によって電気的に接続されている。
【００１５】
また、タッチパネル１５に接続する検出回路（不図示）と、表示画面１２に接続する表示回路（不図示）とを設けている。そして、ＣＰＵ１９が、フラッシュメモリ２０に記憶されているプログラム（本実施形態のプログラムなど）を実行することにより、検出回路によるタッチパネル１５の操作検出、表示回路による表示画面１２への表示、入出力部１７による識別番号（ＩＤ）の入力や調整パラメータの出力、タッチパネル１５での操作によるパラメータの調整、信号処理等の制御を行う。
【００１６】
電子楽器制御端末１０は接続を確立する手段１１を備え、この接続を確立する手段１１は、鍵盤楽器を認証することによって、認証された鍵盤楽器３０との接続を確立することができ、これによって電子楽器制御端末１０と認証された鍵盤楽器３０との間において通信可能となる。具体的には、後述するように、タッチパネル１５の操作による識別番号の入力がなされ、鍵盤楽器３０から出力された識別番号が入出力部１７から入力がなされ、そして、判定する手段（不図示）により両識別番号が一致した場合に認証する。
【００１７】
ここで、まず、認証について簡単に説明する。操作空間には複数の電子楽器制御端末１０及び複数の鍵盤楽器が存在しうる場合がある。ユーザは、電子楽器制御端末１０と通信可能となる鍵盤楽器を特定するための認証確立処理を行ない、鍵盤楽器３０を接続対象デバイスとし、電子楽器制御端末１０と認証された鍵盤楽器３０との間で連携して通信を行うことができるようにする。すなわち、本実施形態においては、電子楽器制御端末１０の接続を確立する手段１１により、鍵盤楽器を認証することで、電子楽器制御端末１０と認証された鍵盤楽器３０とが接続を確立し、通信可能となる。
【００１８】
表示画面１２は、タッチパネル式の入力デバイスで、平板状の液晶表示装置によって構成されている。また、表示画面１２は、グラフィカル・ユーザー・インターフェース（ＧＵＩ）を表示することができる大きさに形成されている。ここでのグラフィカル・ユーザー・インターフェースは、パラメータの値の調整などを行うためのものである。表示画面１２には、表示すべき内容を表わす表示データが供給され、表示データに基づいてパラメータ変位量５６等の画像を表示する。表示回路は、ＣＰＵ１９からの指示に基づき、その表示内容を制御するための回路である。
【００１９】
表示する手段１３は、鍵盤楽器３０の鍵３１毎に調整された調整パタメータの初期パラメータ値５１からのパラメータ変位量５６、パラメータ背景画像５０等の種々の画像を液晶パネル（ＬＣＤ）等の表示画面１２に表示する。鍵盤画像を表示する手段１４は、鍵盤楽器３０の鍵盤（操作子群）を模した鍵盤画像４０を表示画面１２上に表示する。
【００２０】
タッチパネル１５は、静電容量方式であり、表示画面１２の表面に積層されている。タッチパネル１５は、表面に操作面を有する保護膜（不図示）と、この保護膜の下層に配置された電極（不図示）とを備え、タッチを検出する。
【００２１】
鍵３１毎の音高（ピッチ）、音量等のパラメータの調整は、例えば、タッチパネル１５での操作（プラスボタン５３又はマイナスボタン５４の操作や、スライダー５２の操作等）によって鍵３１毎に行われる。ここで、ピッチは音程を示すものであり、周波数によって決定される。そこで、鍵３１毎のピッチに関する調整は、周波数をパラメータとして調整することにより行われる。
【００２２】
入出力部１７は、鍵３１毎に調整された調整パラメータ（例えば、具体的な調整値）等を鍵盤楽器３０に出力するものであり、また、鍵盤楽器３０から出力された識別番号を入力するものである。
【００２３】
外部機器入出力部１８は、他の表示装置、マウスなどのポインティングディバイス、文字入力用のキーボード、操作パネル、他の音楽装置、パーソナルコンピュータ、スピーカなどの外部機器（不図示）との間でデータの入出力を行うためのインターフェースである。
【００２４】
ＣＰＵ１９は、電子楽器制御端末１０の制御を統括する。また、パラメータの動作を統括制御する制御手段であり、フラッシュメモリ２０に記憶されたパラメータ設定用の所要のプログラムを実行することにより、パラメータ設定処理などの処理を行う。
【００２５】
フラッシュメモリ２０は、ＣＰＵ１９が実行する各種のコンピュータプログラム等を記憶する書き換え可能な不揮発性記憶手段で、ＣＰＵ１９は必要に応じてフラッシュメモリ２０からコンピュータプログラムを読み出して実行する。また、各種プログラムに加えて、初期パラメータ値５１、表示画面１２に表示される各種画像などの図形データ及び文字データなどの各種データが記憶されている。
【００２６】
ＲＡＭ２１には、ＣＰＵ１９の処理結果および演算結果を一時的に記憶したりする他、ＣＰＵ１９がコンピュータプログラムを実行する際のワークメモリとして機能する。
【００２７】
切り替える手段２７は、表示画面１２上での第二の入力操作により、鍵の選択先を、鍵盤画像４０から鍵盤楽器３０の鍵３１に切り替える手段である。すなわち、パラメータの調整を行う鍵３１の選択を、電子楽器制御端末１０から鍵盤楽器３０に切り替えるものである。具体的には、パラメータ調整する鍵３１の選択を、電子楽器制御端末１０の表示画面１２上に表示される鍵盤画像４０や、キー表示部４１及び表示バー５５等の操作で行う操作モードから、鍵盤楽器３０の鍵（操作子）３１を押鍵（操作）することによって行う操作モードに切り替えるものである。
【００２８】
本実施形態では、表示画面１２上の鍵盤画像の表示領域７０等のある特定の領域を長押しすることによって操作モードを切り替えるようにすることができる。したがって、例えば、ある特定の領域（鍵盤画像の表示領域７０等）を長押しすることによって操作モードを切り替えた場合、表示画面１２上の鍵盤画像４０の鍵をタッチして選択する電子楽器制御端末１０での操作モードから、鍵盤楽器の押鍵による操作モードに切り替わり、鍵盤楽器の押鍵によって鍵の選択が可能となる。
【００２９】
表示画面１２上の鍵盤画像４０において鍵を選択する操作モードから、鍵盤楽器３０の押鍵による操作モードに切り替えた場合、表示画面１２上に、例えば、「楽器上の鍵にてキーを選択して下さい。」旨のポップアップメッセージが表示され、鍵盤楽器３０の鍵３１を押鍵することによってパラメータ調整する鍵３１の選択が可能となる。
【００３０】
鍵盤画像４０から鍵を選択する手段は、表示画面１２上での第一の入力操作により、鍵盤楽器３０の鍵盤を模した表示画面１２上の鍵盤画像４０から鍵を選択する手段である。すなわち、電子楽器制御端末１０の表示画面１２上から鍵を選択する手段である。具体的には、ユーザがパラメータの調整を希望する、鍵盤楽器３０の鍵３１に対応する鍵盤画像４０の鍵をタッチ等することによって鍵が選択される。また、鍵盤画像４０の鍵のタッチ以外であっても、キー表示部４１及び表示バー５５等の操作によっても鍵が選択される。この鍵を選択する手段は、鍵盤画像４０の鍵盤の鍵のタッチ、表示画面１２の鍵盤画像４０上にある表示バー５５等のスライド操作等をタッチパネル１５のタッチの検出により行われるものである。
【００３１】
受信する手段１７は、鍵盤楽器３０の押鍵で鍵３１の選択を行う操作モードにおいて、鍵盤楽器３０から出力（送信）される操作信号（押鍵信号）を受信する手段である。この押鍵信号の受信により、押鍵した鍵３１に対応する鍵盤画像４０の鍵が選択されたことを表示画面１２上に表示する。
【００３２】
上述のように、鍵盤楽器３０の鍵３１を押鍵することによって鍵３１から押鍵信号が出力されるが、鍵選択表示手段２８は、鍵盤楽器３０から送信される当該押鍵信号の受信により、押鍵した鍵３１に対応する鍵盤画像４０の鍵が選択されたことを表示するものである。この鍵選択表示手段２８によって、キー表示部４１のキー（鍵）の表示、表示バー５５による鍵盤画像４０の鍵上への表示がなされる。
【００３３】
図２に、本実施形態の鍵盤楽器３０の主な電気的構成を示している。鍵盤楽器３０は、従来の鍵盤楽器とほぼ同様に構成される。すなわち、図２に示すように、例えば、鍵３１、信号処理部３２、Ｄ／Ａ変換部３３、スピーカ３４などを備え、ユーザによる鍵３１の操作に応じて信号を生成し、この信号に基づいて楽音をスピーカ３４から放音するように構成される。そして、既述のように、電子楽器制御端末１０において認証されることによって、電子楽器制御端末１０との接続が確立される。
【００３４】
鍵盤は、配列された複数の白鍵及び黒鍵からなる鍵３１を備え、各鍵３１の操作に応じた信号を信号処理部３２に出力する。信号は、押鍵した鍵３１の位置を示す情報（キーナンバ）、押鍵したことを示す情報（キーオン）、離鍵したことを示す情報（キーオフ）、および押鍵速度（ベロシティ）等を含む。具体的には、押鍵されると、キーオン、ベロシティおよびキーナンバが対応付けられて出力され、離鍵するとキーオフが出力される。
【００３５】
信号処理部３２は、例えばＭＩＤＩ(登録商標)規格の音源を備え、ユーザによる鍵３１の操作に応じて出力された上記信号からリアルタイムに波形合成することによりデジタルデータであるオーディオ信号を生成するオーディオ信号生成部として機能するものである。すなわち、鍵盤楽器３０の鍵３１をユーザが操作して演奏を開始すると、その信号処理部３２は、鍵３１の操作に応じてオーディオ信号を生成する。
【００３６】
なお、ユーザが鍵盤楽器３０の鍵盤の鍵３１を操作すると、スピーカ３４から音が発生するが、発生する音の種類（音高、音量など）は、鍵盤楽器３０のタッチボタン（不図示）およびスライダー（不図示）などを用いて変更することができる。
【００３７】
Ｄ／Ａ変換部３３は、信号処理部３２で生成されたオーディオ信号をアナログ信号に変換してスピーカ３４を駆動するものである。これにより、スピーカ３４から、ユーザによる鍵３１の操作に応じた楽音が放音される。
【００３８】
鍵盤楽器３０は、電子楽器制御端末１０との情報のやり取りをして各種設定を行うための機能として入出力部（不図示）を有する。
【００３９】
すなわち、入出力部は、電子楽器制御端末１０との間でデータをやりとりする入出力部であり、電子楽器制御端末１０において行った調整された調整パラメータの信号の入力を受け付けるためのインターフェースである。
【００４０】
電子楽器制御端末１０と鍵盤楽器３０はそれぞれに備えられた入出力部を介してアクセスすることができ、電子楽器制御端末１０から鍵盤楽器３０の各種設定を行うことができる。
【００４１】
本実施形態では、電子楽器制御端末１０は、鍵盤楽器３０に対して有線ケーブルを用いた有線通信、又は、ネットワークを介さない近距離無線通信によって接続されるが、ネットワークを介した通信によって接続されてもよい。近距離無線通信としては、例えば、Ｗｉ−Ｆｉ（登録商標）、Ｂｌｕｅｔｏｏｔｈ（登録商標）、赤外線通信などを用いた通信手段を用いることができる。有線ケーブルとしては、例えば、ＵＳＢケーブル等の各種ケーブルを用いることができる。
【００４２】
次に、図３に基づいて、鍵盤楽器３０の鍵毎のパラメータ（音高、音量等）の調整を行う電子楽器制御端末１０の操作画面の一例について説明する。
【００４３】
電子楽器制御端末１０の表示画面１２に表示された各メニュー表示から「Ｅａｃｈ  Ｋｅｙ  Ｓｅｔｔｉｎｇ」ボタン６０をタッチすると、「Ｅａｃｈ  Ｋｅｙ  Ｓｅｔｔｉｎｇ」画面が表示され、「鍵盤ごとにチューニングや音量を調節できます。初期状態では標準的な調律にしています。」とメッセージが表示される。ユーザは、この「Ｅａｃｈ  Ｋｅｙ  Ｓｅｔｔｉｎｇ」画面において各鍵のパラメータの調整を行うことができる。
【００４４】
より具体的には、当画面上のＴｕｎｅ／Ｖｏｌｕｍｅ切り替えボタンをタッチして切り替えることによって各鍵３１のパラメータの調整を行うことができる。すなわち、「Ｔｕｎｅ」ボタン５８をタッチすると音高調整が可能となり、「Ｖｏｌｕｍｅ」ボタン５９をタッチすると音量調整が可能となる。以下、「Ｅａｃｈ  Ｋｅｙ  Ｓｅｔｔｉｎｇ」画面の各画像などについて説明する。
【００４５】
表示画面１２には、鍵盤楽器３０の鍵盤を模した鍵盤画像４０と、パラメータ変位量５６を表示するパラメータ背景画像５０が表示される。このパラメータ背景画像５０は、鍵３１毎のパラメータ変位量５６を表した棒グラフを表示することができる短冊状の背景画像の集合体である。そして、各短冊状の背景画像は、鍵盤画像４０の各鍵に対応付けて配置されているため、パラメータ変位量を鍵３１に対応付けて表示画面１２に表示される。そして、各種パラメータを調整することによって、パラメータ背景画像５０を構成する短冊状の背景画像上にパラメータ変位量５６を棒グラフ化したものが表示される。また、パラメータ変位量５６を表した棒グラフは、短冊状の背景画像と色調を変える等により見やすくすることができる。なお、鍵盤画像４０、及び／又は、パラメータ背景画像５０の領域を鍵盤画像の表示領域７０とする。
【００４６】
パラメータ背景画像５０には、略中央の横方向にセンターラインが表示され、ここを基準点として、この基準値から上下にパラメータを調整することができる。調整された調整パラメータは、具体的な数値として表示画面１２上に表すこともできる。初期パラメータ値５１は、例えば、電子楽器制御端末１０のアプリケーションプログラム（電子楽器制御プログラム）に初期値として保存された値である。
【００４７】
鍵盤画像４０の下には、キー表示部４１と、このキー表示部４１の左右にプラスボタン４２とマイナスボタン４３が表示される。
【００４８】
キー表示部４１の文字（図３ではＦ♯２）によって音高、又は、音量の調整を行うキー（鍵）が表示される。すなわち、キー表示部４１に表示されているキーの鍵が音高、又は、音量の調整対象となる鍵３１であり、キー表示部４１の左右にあるプラスボタン４２又はマイナスボタン４３をタッチすることによって調整対象となる鍵３１を変更することができる。
【００４９】
また、調整対象となる鍵盤画像４０の鍵上及びパラメータ背景画像５０を構成する短冊状の背景画像上には表示バー５５が表示される。この表示バー５５をスライドさせることによっても鍵の選択を行うことができる。プラスボタン４２又はマイナスボタン４３のタッチによって鍵の変更を行った場合、この表示バー５５も鍵盤画像４０の対象鍵上に連動する。このように、表示バー５５は、選択した鍵等を表示するものであり、具体的には、鍵盤画像４０の鍵、この鍵に対応付けて表示されるパラメータ背景画像５０（パラメータを調整した場合は、パラメータ変位量５６である棒グラフ画像も含む）の上に直線上に表示される。表示バー５５は、鍵盤画像４０の鍵、パラメータ背景画像５０を構成する短冊状の背景画像と色調を変える等により見やすくすることができる。
【００５０】
ここで、パラメータ背景画像５０は、複数の鍵３１（典型的には８８鍵）の各々に対応して具備される。鍵盤楽器３０に備わる８８鍵の各鍵３１には、個々の鍵３１を識別するためのキーナンバＫｎ（Ｋｎ１〜Ｋｎ８８）が割り当てられており、本実施形態では、キーナンバＫｎは、低音側から昇順で割り当てられているものとする。すなわち、例えば、キーナンバＫｎは、ピアノ鍵盤に向かって左側の鍵３１（低音の鍵）から右に向かって順次Ｋｎ１、Ｋｎ２、Ｋｎ３…Ｋｎ８８と割り当てられる。そして、各鍵３１のキーナンバに対応するようにパラメータ背景画像５０が具備される。
【００５１】
鍵盤画像の表示領域７０の隣には、スライダー５２と、このスライダー５２の上下にプラスボタン５３又はマイナスボタン５４を表示する。スライダー５２の上下、又は、スライダー５２の上下にあるプラスボタン５３やマイナスボタン５４をタッチすることによって鍵３１のパラメータの調整を行うことができる。
【００５２】
鍵盤画像の表示領域７０の上にはＣｏｍｐａｒｅボタン５７が表示されている。このＣｏｍｐａｒｅボタン５７は、調整パラメータを初期パラメータ値５１に戻すものである。
【００５３】
図４である、本実施形態に係るシステム構成を示すフロー図を基に、使用方法の一例を説明すると以下のようになる。
【００５４】
まず、電子楽器制御端末１０のアプケーションプログラムを起動する。
【００５５】
次に、鍵盤楽器と電子楽器制御端末１０を接続し（ＳＴ１）、その後、電子楽器制御端末１０において認証を行う（ＳＴ２）。
【００５６】
ここで、ＳＴ２の認証の一例について説明する。まず、予め、鍵盤楽器の購入者が鍵盤楽器に付与されている識別番号を直接入力するなどの方法で電子楽器制御端末１０のフラッシュメモリ２０に記録させておく。そして、本実施形態のシステムを使用する際には、鍵盤楽器３０から識別番号が出力され、この識別番号が電子楽器制御端末１０の入出力部１７から入力するか、又は、電子楽器制御端末１０において識別番号の入力画面から、鍵盤楽器３０に付与されている識別番号を入力する。鍵盤楽器３０から出力されて電子楽器制御端末１０に入力した識別番号又は電子楽器制御端末１０の識別番号の入力画面で入力した識別番号と、電子楽器制御端末１０のフラッシュメモリ２０に記録されている識別番号が一致した場合、認証される（ＹＥＳ）。認証された場合には、電子楽器制御端末１０と鍵盤楽器３０の接続が確立され、通信可能となる。なお、認証されない場合（ＮＯ）は、電子楽器制御端末１０と鍵盤楽器の接続が解除され（ＳＴ３）、終了する。
【００５７】
ＳＴ２において認証された場合（ＹＥＳ）は、操作画面、例えば、図３のような鍵盤画像の表示領域７０がある画面が表示される（ＳＴ４）。
次に、鍵盤画像の表示領域７０の鍵が押されたか（表示画面１２での第一の入力操作）否かが判断される（ＳＴ５）。鍵盤画像の表示領域７０の鍵が押されていない場合（ＳＴ５でＮＯ）はＳＴ５の前に戻り繰り返される。
【００５８】
鍵盤画像の表示領域７０の鍵が押された場合（ＳＴ５でＹＥＳ）は、鍵盤画像の表示領域７０を長押しされたか（表示画面１２での第二の入力操作）否かが判断される（ＳＴ６）。長押しされていないと判断した場合（ＳＴ６でＮＯ）は、電子楽器制御端末１０のアプリケーション上で鍵が選択されたと判断され（ＳＴ１２）、鍵（キー）の選択を終了する。長押しされたと判断した場合（ＳＴ６でＹＥＳ）は、表示画面１２上に「楽器上の鍵にてキーを選択して下さい。」旨のメッセージがポップアップ表示される（ＳＴ７）。
【００５９】
ユーザは、鍵盤楽器３０の調律したい鍵３１を押す（ＳＴ８）。
【００６０】
押された鍵情報（押鍵信号）を鍵盤楽器３０から電子楽器制御端末１０に送信する（ＳＴ９）。そして、送信された鍵情報の受信を入力として電子楽器制御端末１０上で処理を実行、すなわち、鍵盤楽器３０の押された鍵３１に対応する鍵盤画像４０の鍵が選択されたことを表示する（ＳＴ１０）。そして、ポップアップ画面の領域以外をタッチすると（ＳＴ１１でＹＥＳ）、鍵（キー）の選択が終了する。他方、ポップアップ画面の領域以外をタッチしない場合（ＮＯ）は、ＳＴ８の前まで戻る。
【００６１】
以上のように、鍵盤楽器３０の鍵盤の調律したい鍵の選択を行った後は、この鍵の音高（ピッチ）、又は、音量を調整する。具体的には、ユーザは、鍵盤楽器３０の鍵３１を押鍵することで視聴しながら、この鍵３１の音高（ピッチ）又は音量を調整し、好みの音高（ピッチ）又は音量とする。
【００６２】
図３の操作画面に基づいて鍵３１の音高（ピッチ）又は音量の調整を説明すると次のようになる。メニュー画面の「Ｅａｃｈ  Ｋｅｙ  Ｓｅｔｔｉｎｇ」画面をタッチすると、「Ｅａｃｈ  Ｋｅｙ  Ｓｅｔｔｉｎｇ」画面が表示される。そして、音高調整を行う場合は、画面のＴｕｎｅボタン５８をタッチすると、各鍵３１の音高が増減可能となり、スライダー５２を上下させること等によって各鍵３１の音高を増減させることができる。ここ「Ｔｕｎｅ」では、発音される音の音高（周波数）の増減（パラメータ変位量５６）が棒グラフで表示される。
【００６３】
また、音量調整を行う場合は、画面のＶｏｌｕｍｅボタン５９をタッチすると、各鍵３１の音量が増減可能となり、スライダー５２を上下させること等によって各鍵３１の音量を増減させることができる。ここ「Ｖｏｌｕｍｅ」では、発音される音の音量の増減（パラメータ変位量５６）が棒グラフで表示される。
【００６４】
以上説明したように、本実施形態によれば、認証された鍵盤楽器の鍵３１毎のパラメータを調整する際、調整対象となる鍵３１の選択を電子楽器制御端末１０の表示画面１２上で行うか、又は、鍵盤楽器３０の押鍵で行うかを切り替えることができ、鍵３１の選択を鍵盤楽器３０から行う場合、押鍵によって選択することができる。このように、押鍵により選択できるため、正確に鍵を選択できる。
【００６５】
また、鍵３１の選択を行った後は、電子楽器制御端末１０で鍵盤楽器３０の鍵３１毎の調律ができるので、鍵盤楽器３０から離れた場所で鍵盤楽器３０の調律（パラメータの調整）を行うことができる。また、表示画面１２上には、鍵３１毎に調整された調整パラメータの初期パラメータ値５１からのパラメータ変位量５６が棒グラフで表示されるため、音高や音量の変位量をグラフィカルに表示することができる。さらには、スライダー５２を使用することによって細かな調整が可能となる。
【００６６】
鍵盤楽器においては、スプリットと呼ばれる鍵域を左右に分けて左右で別々の音色を鳴らすスプリット機能がある。このスプリット機能では、任意の位置をスプリットポイントと設定し、そのスプリットポイントより高い音高をライトパート（右側鍵域）、低い音高をレフトパート（左側鍵域）に設定する。
【００６７】
本実施形態においても、鍵盤楽器３０の押鍵によってスプリットポイントを設定することができ、スプリットポイントが設定されると鍵盤の鍵域が低音側の鍵域と高音側の鍵域の２つに分割することができ、それぞれの鍵域で音色を変えることができる。したがって、スプリット機能をオンにした場合、ライトパートが演奏されたときはライトパートの音色による楽音を発音し、レフトパートが演奏された場合にはレフトパートの音色による楽音を発音することができる。
【００６８】
スプリットポイントの設定モードの選択、すなわち、スプリットポイントの設定を電子楽器制御端末１０で行うか、又は、鍵盤楽器３０で行うかについては、切り替える手段２７による切り替えによって行う。
【００６９】
したがって、スプリットポイントの設定は、パラメータを調整する鍵３１の選択と同様に行うことができる。すなわち、ユーザが、認証された鍵盤楽器を押鍵することで、この押鍵した鍵３１をスプリットポイントとして設定することができ、また、「Ｅａｃｈ  Ｋｅｙ  Ｓｅｔｔｉｎｇ」画面のプラスボタン４２又はマイナスボタン４３をタッチすることや、鍵盤画像４０にタッチすることで、タッチした鍵をスプリットポイントとして設定することもできる。
【００７０】
なお、各種ピアノの音色を電子楽器制御端末１０に記憶させておくことによって、ユーザは使用したいピアノの音色を選択することができる。例えば、ユーザがピアノ音色を選択する画面を選択すると、調律（音高、音量、タッチ感などのパラメータ調整）したい鍵盤楽器３０のピアノ音色を選択することができる。
【００７１】
尚、説明した本実施形態に限定されるものではなく、本実施形態の趣旨を逸脱しない範囲内での種々の改良、変更が可能であることは言うまでもない。
【００７２】
本実施形態では、鍵盤楽器３０を例に説明した。具体的には、例えば、電子ピアノ、電子オルガン、電子チェンバロ、シンセサイザー等の電子楽器としての鍵盤楽器や、電子木琴、電子鉄琴等の電子鍵盤打楽器等が該当する。また、他の例として、電子バイオリン等の弦楽器、電子ドラム等の打楽器、電子サックス等の管楽器、またはウィンドシンセサイザー等、鍵盤を構成要素としない電子楽器であってもよい。この場合、弦楽器の操作子は弦、フレット、ピックアップ等、打楽器の操作子はパッド等、管楽器やウィンドシンセサイザーの操作子はキー等が考えられる。
【００７３】
表示画面１２は、液晶ディスプレイの他、有機ＥＬパネルにより構成することもできる。なお、その他、鍵３１毎の音高、音量調整の他、鍵３１毎の音色の調整も可能である。
【００７４】
データの取扱いに関しては、設定及び調整パラメータをフラッシュメモリ２０に保存することができ、保存されているデータを鍵盤楽器３０に送信することができる。例えば、調整した音高、又は、音量のデータは引き継ぐことができるが、スプリットポイントを設定してそれぞれの鍵域で音色を変えたような場合は初期状態に戻るという設定も可能である。
【００７５】
また、ＣＰＵ１９は、通常の稼働状態と、消費電力を抑えて待機するスリープ状態と、を切り替えて制御を行うことができる。したがって、ＣＰＵ１９は、様々なスリープ状態からの起動条件を有する。スリープ状態から起動する場合、表示画面１２に関しては、スリープする直前の画面を表示し、スリープする直前の設定、調整パラメータを全て引き継ぐ。
【００７６】
アプリケーションプログラム起動中は、スクリーンロックを無効化することも可能である。
【００７７】
操作画面「Ｅａｃｈ  Ｋｅｙ  Ｓｅｔｔｉｎｇ」中で説明したスライダー５２や、プラスボタン５３又はマイナスボタン５４等のボタンや、鍵盤画像４０、パラメータ背景画像５０等の位置は、どの位置にあってもよい。なお、操作画面の名称は、「Ｅａｃｈ  Ｋｅｙ  Ｓｅｔｔｉｎｇ」に限らないことは勿論である。
【００７８】
認証に関しては、電子楽器制御端末１０側で行う他の例も考えられる。例えば、鍵盤楽器は送信部を介して電子楽器制御端末１０に識別信号を送信する。電子楽器制御端末１０は受信部などによって、識別信号を受信し、電子楽器制御端末１０のＣＰＵの制御の下に識別信号が電子楽器制御端末１０の記憶部に予め記憶されている識別信号と一致するか否かを判定する。識別信号が記憶部に予め記憶されている識別信号と一致する場合には、電子楽器制御端末１０の表示画面１２に認証された旨を表す認証メッセージを表示させる。これによって、電子楽器制御端末１０と鍵盤楽器３０との接続が確立され、通信が可能となる。識別信号が記憶部に予め記憶されている識別信号と一致しない場合には、電子楽器制御端末１０と鍵盤楽器との接続は確立されず、通信不可能となる。
【００７９】
また、鍵盤楽器側で認証を行う例も考えられる。例えば、電子楽器制御端末１０は送信部を介して鍵盤楽器に識別信号を送信する。鍵盤楽器は受信部によって、識別信号を受信し、鍵盤楽器側のＣＰＵの制御の下に識別信号が鍵盤楽器の記憶部に予め記憶されている識別信号と一致するか否かを判定する。識別信号が記憶部に予め記憶されている識別信号と一致する場合には、電子楽器制御端末１０の表示画面１２に認証された旨を表す認証メッセージを表示させる。これによって、電子楽器制御端末１０と鍵盤楽器３０との接続が確立され、通信が可能となる。識別信号が記憶部に記憶されている識別信号と一致しない場合には、電子楽器制御端末１０と鍵盤楽器３０との接続は確立されず、通信不可能となる。
【００８０】
本実施形態の各手段、各回路等の電気的構成は、本実施形態の趣旨を逸脱しない限りにおいて適宜変更、追加、削除、交換等を実施することができる。例えば、表示する手段１３においても、鍵盤楽器３０から送信される押鍵信号を受信する手段が受信することによって、押鍵した鍵３１に対応する鍵盤画像４０の鍵が選択されたことを表示することが可能である。また、例えば、電子楽器制御端末１０に備えた各手段、各回路等の電気的構成を、鍵盤楽器３０に備えることもできる。また、鍵盤楽器３０に備えた各電気的構成を電子楽器制御端末１０に備えることもできる。
【００８１】
図４で説明した各ステップは、本実施形態の趣旨を逸脱しない限りにおいて適宜順番の変更、ステップの追加、削除、交換等を実施することができる。例えば、次のような例も考えられる。
【００８２】
まず、鍵盤楽器と電子楽器制御端末１０の接続を確立する前提として、電子楽器制御端末１０において認証を行う。次に、鍵盤楽器３０の電源を入れ、電子楽器制御端末１０のアプケーションプログラムを起動する。そして、電子楽器制御端末１０のアプリケーションプログラムの設定を、鍵盤楽器３０に送信し、アプリーションプログラムと鍵盤楽器３０の状態を同一、すなわち、同期する。
【００８３】
選択画面において、調律（音高、音量、タッチ感などのパラメータ調整）したい鍵盤楽器３０のピアノ音色を選択し、ピアノ音色を選択した後は、鍵盤楽器３０の鍵盤の調律したい鍵を選択する。そして、調律したい鍵の選択を行った後は、この鍵のパラメータを調整する。
【符号の説明】
【００８４】
１０          電子楽器制御端末
１１          接続を確立する手段
１３          表示する手段
１９          ＣＰＵ
２７          切り替える手段
２８          操作子（鍵）が選択されたことを表示する手段
３０          認証された電子楽器（鍵盤楽器）
３１          操作子（鍵）
４０          操作子群画像（鍵盤画像）
【図１】
2018159770.tif 000003
【図２】
2018159770.tif 000004
【図３】
2018159770.tif 000005
【図４】
2018159770.tif 000006